【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
ノード（１１０、１１５）における方法であって、
少なくとも第１のサブフレーム（３０４、４０５）を含むフレーム構成を生成すること（７０４）であって、前記第１のサブフレームは、第１のシンボル（３１０Ａ、５１０Ａ）と第２のシンボル（３１０Ｂ、５１０Ｂ）を含み、前記第１と第２のシンボルのそれぞれは、複数のリソースエレメントを含み、前記第１のシンボルは、制御情報（３２５、４２５Ａ、４２５Ｂ、５２５）を伝達し、前記第２のシンボルはデータ送信（３３０、４３０Ａ、４３０Ｂ、５３０）を伝達する、ことと、
参照信号（３３５Ａ〜Ｇ、４３５Ａ〜Ｇ、５３５Ａ〜Ｇ）に対して、前記第１のシンボルにおける前記複数のリソースエレメントの１つ以上を予約すること（７０８）と、
前記第１のシンボルにおける前記予約されたリソースエレメントの１つ以上を、参照シンボル（３３５Ｂ〜Ｄ、４３５Ｂ〜Ｄ、５３５Ｂ〜Ｄ）で変調することであって、前記変調された、前記第１のシンボルにおける前記予約されたリソースエレメントの１つ以上は、周波数領域において、前記第２のシンボルにおいて伝達された前記データ送信と重なる前記１つ以上の予約されたリソースエレメントのサブセットを含む、ことと、
前記少なくとも１つのサブフレームを別のノードに送信すること（７１６）、を含む方法。
【請求項２】
請求項１に記載の方法であって、
前記フレーム構成は、更に、複数のシンボルを含む第２のサブフレーム（４０５Ｂ）を含み、
前記第１のサブフレームの前記第２のシンボルにおいて伝達される前記データ送信は、時間領域で、前記第２のサブフレームの前記複数のシンボルの少なくとも１つを横断する、サブフレームアグリゲートデータ送信（４３０Ａ）であり、
前記方法は、前記サブフレームアグリゲートデータ送信内の前記複数のシンボルのどれが参照信号を含むかを示す情報を通信することを含む、方法。  
【請求項３】
請求項１に記載の方法であって、多入力多出力（ＭＩＭＯ）送信スキームに対する複数の直交参照信号を作成することを含む、方法。
【請求項４】
請求項３に記載の方法であって、前記ＭＩＭＯ送信スキームに対する複数の直交参照信号を作成することは、
参照信号を分離するために周波数分割多重を使用すること、
参照信号を分離するために符号分割多重を使用すること、
前記第１のシンボルにおいて参照シンボルで変調された前記予約されたリソースエレメントと、前記第２のシンボルにおける前記複数のリソースエレメントの１つ以上との間の直交カバーコードを使用すること、の１つ以上を含む、方法。
【請求項５】
請求項１に記載の方法であって、
前記第１と第２のシンボルは、直交周波数分割多重シンボルであり、
前記参照信号は、復調参照信号を含む、方法。
【請求項６】
請求項１に記載の方法であって、前記ノードは、
ネットワークノード（１１５）、および、
デバイス・ツー・デバイスのシナリオにおいて動作する無線デバイス（１１０）のいずれかを含む、方法。
【請求項７】
請求項１に記載の方法であって、前記制御情報は、物理ダウンリンク制御チャネル上で伝達され、前記データ送信は、物理データチャネル上で伝達される、方法。
【請求項８】
請求項１に記載の方法であって、前記第１のシンボルはデータも伝達する、方法。
【請求項９】
請求項１に記載の方法であって、前記制御情報は、参照シンボルで変調されていない１つ以上の予約されたリソースエレメントにおいて伝達される、方法。
【請求項１０】
ノード（１１０、１１５）における方法であって、
第１のシンボル（３１０Ａ、５１０Ａ）と第２のシンボル（３１０Ｂ、５１０Ｂ）を含む第１のサブフレーム（３０５、４０５、５０５）を受信すること（８０４）であって、前記第１と第２のシンボルのそれぞれは複数のリソースエレメントを含み、前記第１のシンボルにおける前記複数のリソースエレメントの１つ以上は参照信号（３３５Ａ〜Ｇ、４３４Ａ〜Ｇ、５３５Ａ〜Ｇ）に対して予約され、前記第１のシンボルは制御情報（３２５、４２５Ａ、４２５Ｂ、５２５）を伝達し、前記第２のシンボルはデータ送信（３３０、４３０Ａ、４３０Ｂ、５３０）を伝達する、ことと、
前記第１のシンボルにおいて伝達された前記制御情報を復号化すること（８０８）と、
前記復号化された制御情報からスケジューリング情報を取得することであって、前記スケジューリング情報は、周波数領域における前記データ送信の位置を示す、ことと、
周波数領域における前記データ送信の前記位置に基づいて、前記第１のシンボルにおける前記１つ以上の予約されたリソースエレメントのどれが参照シンボル（３３５Ｂ〜Ｄ、４３５Ｂ〜Ｄ、５３５Ｂ〜Ｄ）で変調されているかを決定すること（８１６）と、
参照シンボルで変調されている、前記第１のシンボルにおける前記１つ以上の予約されたリソースエレメントを用いてチャネル推定を行うこと（８２０）、を含む方法。
【請求項１１】
請求項１０に記載の方法であって、参照シンボルで変調されている、前記第１のシンボルにおける前記１つ以上の予約されたリソースエレメントは、前記第２のシンボルにおいて伝達された前記データ送信と周波数領域で重なる前記１つ以上の予約されたリソースエレメントのサブセットを含む、方法。
【請求項１２】
請求項１０に記載の方法であって、
複数のシンボルを含む第２のサブフレーム（４０５Ｂ）を受信することであって、前記第１のサブフレームの前記第２のシンボルにおいて伝達された前記データ送信は、前記第２のサブフレームの前記複数のシンボルの少なくとも１つを時間領域で横断するサブフレームアグリゲートデータ送信であり、
前記サブフレームアグリゲートデータ送信内の前記複数のシンボルのどれが参照信号を含むかを示す情報を取得することを含む、方法。  
【請求項１３】
請求項１０に記載の方法であって、前記第１のサブフレームは、多入力多出力（ＭＩＭＯ）送信スキームに対する複数の直交参照信号を含む、方法。
【請求項１４】
請求項１０に記載の方法であって、
前記第１と第２のシンボルは、直交周波数分割多重シンボルであり、
前記参照信号は、復調参照信号を含む、方法。
【請求項１５】
請求項１０に記載の方法であって、前記ノードは、
ダウンリンクにおいて動作する無線デバイス、
デバイス・ツー・デバイスのシナリオにおいて動作する無線デバイス、および、
無線自己バックホールのシナリオにおいて動作するネットワークノード、のいずれかを含む、方法。
【請求項１６】
請求項１０に記載の方法であって、前記制御情報は、物理ダウンリンク制御チャネル上で伝達され、前記データ送信は、物理データチャネル上で伝達される、方法。
【請求項１７】
請求項１０に記載の方法であって、前記第１のシンボルはデータも伝達する、方法。
【請求項１８】
請求項１０に記載の方法であって、前記制御情報は、参照シンボルで変調されていない１つ以上の予約されたリソースエレメントにおいて伝達され、前記制御情報を復号化することは、
前記制御情報が前記第１のシンボルにおける前記１つ以上の予約されたリソースエレメント周辺にマッピングされるように復号化を行うことと、
前記制御情報が参照シンボルで変調されていない前記１つ以上の予約されたリソースエレメントにマッピングされるように復号化を行うことを含む、方法。
【請求項１９】
請求項１０に記載の方法であって、参照シンボルで変調されている、前記第１のシンボルにおける前記１つ以上の予約されたリソースエレメントを用いてチャネル推定を行うことは、
参照シンボルで変調されている、前記第１のシンボルにおける前記１つ以上の予約されたリソースエレメントを用いて前記データ送信を復号化することを含む、方法。
【請求項２０】
ノード（１１０、１１５）であって、
１つ以上のプロセッサ（９２０、１０２０）を有し、前記１つ以上のプロセッサは、
少なくとも第１のサブフレーム（３０５、４０５、５０５）を含むフレーム構成を生成し（７０４）、ここで、前記第１のサブフレームは、第１のシンボル（３１０Ａ、５１０Ａ）と第２のシンボル（３１０Ｂ、５１０Ｂ）を含み、前記第１と第２のシンボルのそれぞれは、複数のリソースエレメントを含み、前記第１のシンボルは、制御情報（３２５、４２５Ａ、４２５Ｂ、５２５）を伝達し、前記第２のシンボルはデータ送信（３３０、４３０Ａ、４３０Ｂ、５３０）を伝達し、
参照信号（３３５Ａ〜Ｇ、４３５Ａ〜Ｇ、５３５Ａ〜Ｇ）に対して、前記第１のシンボルにおける前記複数のリソースエレメントの１つ以上を予約し（７０８）、
前記第１のシンボルにおける前記予約されたリソースエレメントの１つ以上を、参照シンボル（３３５Ｂ〜Ｄ、４３５Ｂ〜Ｄ、５３５Ｂ〜Ｄ）で変調し（７１２）、ここで、変調された、前記第１のシンボルにおける前記予約されたリソースエレメントの１つ以上は、周波数領域において、前記第２のシンボルにおいて伝達された前記データ送信と重なる前記１つ以上の予約されたリソースエレメントのサブセットを含み、
前記少なくとも１つのサブフレームを別のノードに送信する（７１６）、ように構成される、ノード。
【請求項２１】
請求項２０に記載のノードであって、
前記フレーム構成は、更に、複数のシンボルを含む第２のサブフレーム（４０５Ｂ）を含み、
前記第１のサブフレームの前記第２のシンボルにおいて伝達される前記データ送信は、時間領域で、前記第２のサブフレームの前記複数のシンボルの少なくとも１つを横断する、サブフレームアグリゲートデータ送信（４３０Ａ）であり、
前記１つ以上のプロセッサは、前記サブフレームアグリゲートデータ送信内の前記複数のシンボルのどれが参照信号を含むかを示す情報を通信するように構成される、ノード。  
【請求項２２】
請求項２０に記載のノードであって、前記１つ以上のプロセッサは、多入力多出力（ＭＩＭＯ）送信スキームに対する複数の直交参照信号を作成するように構成される、ノード。
【請求項２３】
請求項２２に記載のノードであって、前記ＭＩＭＯ送信スキームに対する複数の直交参照信号を作成するように構成される前記１つ以上のプロセッサは、
参照信号を分離するために周波数分割多重を使用すること、
参照信号を分離するために符号分割多重を使用すること、
前記第１のシンボルにおいて参照シンボルで変調された前記予約されたリソースエレメントと、前記第２のシンボルにおける前記複数のリソースエレメントの１つ以上との間の直交カバーコードを使用すること、の１つ以上を実行するように構成される、ノード。
【請求項２４】
請求項２０に記載のノードであって、
前記第１と第２のシンボルは、直交周波数分割多重シンボルであり、
前記参照信号は、復調参照信号を含む、ノード。
【請求項２５】
請求項２０に記載のノードであって、前記ノードは、
ネットワークノード（１１５）、および、
デバイス・ツー・デバイスのシナリオにおいて動作する無線デバイス（１１０）、のいずれかを含む、ノード。 
【請求項２６】
請求項２０に記載のノードであって、前記制御情報は、物理ダウンリンク制御チャネル上で伝達され、前記データ送信は、物理データチャネル上で伝達される、ノード。
【請求項２７】
請求項２０に記載のノードであって、前記第１のシンボルはデータも伝達する、ノード。
【請求項２８】
請求項２０に記載のノードであって、前記制御情報は、参照シンボルで変調されていない１つ以上の予約されたリソースエレメントにおいて伝達される、ノード。
【請求項２９】
ノード（１１０、１１５）であって、
１つ以上のプロセッサ（９２０、１０２０）を有し、前記１つ以上のプロセッサは、
第１のシンボル（３１０Ａ、５１０Ａ）と第２のシンボル（３１０Ｂ、５１０Ｂ）を含む第１のサブフレーム（３０５、４０５、５０５）を受信し、ここで、前記第１と第２のシンボルのそれぞれは複数のリソースエレメントを含み、前記第１のシンボルにおける前記複数のリソースエレメントの１つ以上は参照信号（３３５Ａ〜Ｇ、４３４Ａ〜Ｇ、５３５Ａ〜Ｇ）に対して予約され、前記第１のシンボルは制御情報（３２５、４２５Ａ、４２５Ｂ、５２５）を伝達し、前記第２のシンボルはデータ送信（３３０、４３０Ａ、４３０Ｂ、５３０）を伝達し、
前記第１のシンボルにおいて伝達された前記制御情報を復号化し（８０８）、
前記復号化された制御情報からスケジューリング情報を取得し（８１２）、ここで、前記スケジューリング情報は、周波数領域における前記データ送信の位置を示し、
周波数領域における前記データ送信の前記位置に基づいて、前記第１のシンボルにおける前記１つ以上の予約されたリソースエレメントのどれが参照シンボル（３３５Ｂ〜Ｄ、４３５Ｂ〜Ｄ、５３５Ｂ〜Ｄ）で変調されているかを決定し（８１６）、
参照シンボルで変調されている、前記第１のシンボルにおける前記１つ以上の予約されたリソースエレメントを用いてチャネル推定を行う（８２０）、ように構成される、ノード。
【請求項３０】
請求項２９に記載のノードであって、参照シンボルで変調されている、前記第１のシンボルにおける前記１つ以上の予約されたリソースエレメントは、前記第２のシンボルにおいて伝達された前記データ送信と周波数領域で重なる前記１つ以上の予約されたリソースエレメントのサブセットを含む、ノード。
【請求項３１】
請求項２９に記載のノードであって、前記１つ以上のプロセッサは、
複数のシンボルを含む第２のサブフレーム（４０５Ｂ）を受信し、ここで、前記第１のサブフレームの前記第２のシンボルにおいて伝達された前記データ送信は、前記第２のサブフレームの前記複数のシンボルの少なくとも１つを時間領域で横断するサブフレームアグリゲートデータ送信（４３０Ａ）であり、
前記サブフレームアグリゲートデータ送信内の前記複数のシンボルのどれが参照信号を含むかを示す情報を取得する、ように構成される、ノード。  
【請求項３２】
請求項２９に記載のノードであって、前記第１のサブフレームは、多入力多出力（ＭＩＭＯ）送信スキームに対する複数の直交参照信号を含む、ノード。
【請求項３３】
請求項２９に記載のノードであって、
前記第１と第２のシンボルは、直交周波数分割多重シンボルであり、
前記参照信号は、復調参照信号を含む、ノード。
【請求項３４】
請求項２９に記載のノードであって、前記ノードは、
ダウンリンクにおいて動作する無線デバイス（１１０）、
デバイス・ツー・デバイスのシナリオにおいて動作する無線デバイス、および、
無線自己バックホールのシナリオにおいて動作するネットワークノード（１１５）のいずれかを含む、ノード。
【請求項３５】
請求項２９に記載のノードであって、前記制御情報は、物理ダウンリンク制御チャネル上で伝達され、前記データ送信は、物理データチャネル上で伝達される、ノード。
【請求項３６】
請求項２９に記載のノードであって、前記第１のシンボルはデータも伝達する、ノード。
【請求項３７】
請求項２９に記載のノードであって、前記制御情報は、参照シンボルで変調されていない１つ以上の予約されたリソースエレメントにおいて伝達され、前記制御情報を復号化するように構成された前記１つ以上のプロセッサは、
前記制御情報が前記第１のシンボルにおける前記１つ以上の予約されたリソースエレメント周辺にマッピングされるように復号化を行い、
前記制御情報が参照シンボルで変調されていない前記１つ以上の予約されたリソースエレメントにマッピングされるように復号化を行うように構成される、ノード。
【請求項３８】
請求項２９に記載のノードであって、参照シンボルで変調されている、前記第１のシンボルにおける前記１つ以上の予約されたリソースエレメントを用いてチャネル推定を行うように構成された前記１つ以上のプロセッサは、
参照シンボルで変調されている、前記第１のシンボルにおける前記１つ以上の予約されたリソースエレメントを用いて前記データ送信を復号化するように構成される１つ以上のプロセッサを有する、ノード。